(57)【要約】【課題】衝撃によるサスペンションの振動モードの跳躍運動を抑制して磁気ヘッドと磁気ディスクへの損傷を低減させる。【解決手段】磁気ヘッド２は磁気ディスク３の半径方向に回動可能なように、サスペンション１の先端に片持ち支持構造で弾性支持され、また、磁気ヘッドを弾性保持しているサスペンションの固有振動数と磁気ディスクの固有振動数が一致している。【選択図】　　　　図１
2004094989.tif 000002
【特許請求の範囲】
【請求項１】
磁気ヘッドを磁気ディスクの半径方向に回動可能なようにサスペンションの先端において片持ち梁で支持する磁気ディスク装置において、
前記サスペンションの固有振動数と前記磁気ディスクの固有振動数が一致するように構成されていることを特徴とする磁気ディスク装置。
【請求項２】
前記サスペンションは複数であって、それぞれの固有振動数と前記磁気ディスクの固有振動数が一致していることを特徴とする請求項１に記載の磁気ディスク装置。
【請求項３】
前記サスペンションに減衰部材を設けたことを特徴とする請求項１又は２に記載の磁気ディスク装置。
【請求項４】
前記磁気ヘッド及びサスペンションを磁気ディスクの半径方向に回動可能に支持するアーム部の重心が前記アーム部の回動軸上にあることを特徴とする請求項１から３のいずれか１つに記載の磁気ディスク装置。
【発明の詳細な説明】
【０００１】
【発明の属する技術分野】
本発明は、磁気ヘッドを磁気ディスクの半径方向に回動可能なようにサスペンションの先端により片持ち梁で支持する磁気ディスク装置に関する。
【０００２】
【従来の技術】
従来の磁気ディスク装置としては、特開平１１−２１３５８１号公報に記載されたものが知られている。図８に従来の磁気ディスク装置のアーム部を示し、磁気ヘッド１０２は磁気ディスク１０３の半径方向に回動可能なように弾性体のサスペンション１０１の先端で片持ち梁で支持され、また、磁気ヘッド１０２及びサスペンション１０１は、上方の筐体１０５と下方の磁気ディスク１０３の間に配置されている。そして、衝撃印加時の磁気ヘッド１０２の跳躍運動のストロークを制限し、磁気ヘッド１０２の磁気ディスク１０３への衝撃による損傷を低減させるために、磁気ヘッド１０２を弾性支持しているサスペンション１０１の長さ方向の中央部に、上下に突出した突起部である制限部材１０４が設けられている。
【０００３】
【発明が解決しようとする課題】
しかしながら、上記従来の磁気ディスク装置であっては、制限部材１０４がサスペンション１０１の長さ方向の中央部にあるため、サスペンション１０１の片持ち振動である、制限部材１０４から磁気ヘッド１０２側のサスペンション１０１の弾性変位を十分に抑圧することができないという問題があった。また、衝撃によって発生した磁気ディスク１０３の振動モードにより磁気ディスク１０３とサスペンション１０１との距離が大きくなり、サスペンション１０１の跳躍運動が発生して磁気ヘッド１０２が磁気ディスク１０３に激しく衝突を繰り返し、磁気ヘッド１０２と磁気ディスク１０３への損傷が発生するという問題があった。
【０００４】
本発明は、こうした従来の問題点を解決するものであり、衝撃によるサスペンションの振動モードの跳躍運動を抑制して磁気ヘッドと磁気ディスクへの損傷を低減させることができる磁気ディスク装置を提供することを目的としている。
【０００５】
【課題を解決するための手段】
本発明は上記目的を達成するために、磁気ヘッドを磁気ディスクの半径方向に回動可能なようにサスペンションの先端において片持ち梁で支持する磁気ディスク装置において、
前記サスペンションの固有振動数と前記磁気ディスクの固有振動数が一致するように構成されていることを特徴とする。
この構成により、衝撃によるサスペンションの振動と磁気ディスクの振動の周期が一致するので、サスペンションの振動モードの跳躍運動を抑制して磁気ヘッドと磁気ディスクへの損傷を低減させることができる。
【０００６】
本発明はまた、前記サスペンションが複数であって、それぞれの固有振動数と前記磁気ディスクの固有振動数が一致していることを特徴とする。
この構成により、衝撃による複数のサスペンションの振動の周期と磁気ディスクの振動の周期が一致するので、複数のサスペンションの振動モードの跳躍運動を抑制して磁気ヘッドと磁気ディスクへの損傷を低減させることができる。
【０００７】
本発明はまた、前記サスペンションに減衰部材を設けたことを特徴とする。
この構成により、衝撃によるサスペンションの振動モードの振動とそれと同調した磁気ディスクの振動を低減させることができる。
【０００８】
本発明はまた、前記磁気ヘッド及びサスペンションを磁気ディスクの半径方向に回動可能に支持するアーム部の重心が前記アーム部の回動軸上にあることを特徴とする。
この構成により、衝撃によるサスペンションの振動モードの振動の発生を低減させることができる。
【０００９】
【発明の実施の形態】
以下、図面を参照して本発明の実施の形態について説明する。
＜第１の実施の形態＞
本発明の第１の実施の形態の磁気ディスク装置を図１及び図２に示す。図１及び図２において、磁気ヘッド２は磁気ディスク３の半径方向に回動可能なように、サスペンション１の先端（この実施の形態では先端側の下面）に片持ち梁構造で弾性支持されている。また、マウント部４は回転軸６に対して回動可能に取り付けられ、その一方にはサスペンション１（及び磁気ヘッド２）が取り付けられ、他方にはコイル部５が取り付けられている。そして、磁気ヘッド２を弾性保持しているサスペンション１の固有振動数と磁気ディスク３の固有振動数が一致していることを特徴とする。
【００１０】
サスペンション１の固有振動数と磁気ディスク３の固有振動数を一致させる手段として、サスペンション１の固有振動数ω１は、サスペンション１のバネ定数ｋ１と質量ｍ１から
【００１１】
【数１】
2004094989.tif 000003
として求まる。一方、磁気ディスク３の固有振動数ω３は、磁気ディスク３のバネ定数ｋ３と質量ｍ３から
【００１２】
【数２】
2004094989.tif 000004
として求まる。よってサスペンション１のバネ定数ｋ１と質量ｍ１と磁気ディスク３のバネ定数ｋ３と質量ｍ３の間で、
【００１３】
【数３】
2004094989.tif 000005
の関係を持たせることにより、サスペンション１の固有振動数ω１と磁気ディスク３の固有振動数ω３とを一致させることができる。
【００１４】
以上のように構成された磁気ディスク装置について、図３を用いてその動作を説明する。図３において、衝撃が磁気ディスク装置に加わった場合、磁気ディスク３とサスペンション１がそれぞれの固有振動数で振動運動が引き起こされる。このとき、磁気ディスク３とサスペンション１の固有振動数が一致しているため磁気ディスク３とサスペンション１は同じ周期で振動して、磁気ヘッド２と磁気ディスク３との間の距離は変わらないので、サスペンション１の跳躍運動は抑制され、磁気ヘッド２と磁気ディスク３への損傷を低減できる。このような本発明の第１の実施の形態によれば、磁気ヘッド２と磁気ディスク３への損傷を低減できることとなる。
【００１５】
＜第２の実施の形態＞
本発明の第２の実施の形態の磁気ディスク装置を図４、図５に示す。図４、図５において、複数個の一例として２個の磁気ヘッド２ａ、２ｂがそれぞれ、磁気ディスク３の上面、下面に対して半径方向に回動可能なように、弾性体の平行なサスペンション１ａ、１ｂの先端側の下面、埋め面に片持ち梁構造で弾性支持されている。また、マウント部４は回転軸６に対して回動可能に取り付けられ、その一方にはサスペンション１ａ、１ｂ（及び磁気ヘッド２ａ、２ｂ）が取り付けられ、他方にはコイル部５が取り付けられている。そして、磁気ヘッド２ａ、２ｂをそれぞれ弾性保持しているサスペンション１ａ、１ｂの固有振動数と磁気ディスク３の固有振動数が一致していることを特徴とする。
【００１６】
以上のように構成された磁気ディスク装置について、図５を用いてその動作を説明する。図５において、衝撃が磁気ディスク装置に加わった場合、磁気ディスク３とサスペンション１ａ、１ｂがそれぞれの固有振動数で振動運動を起こす。このとき、それぞれのサスペンション１ａ、１ｂの固有振動数が磁気ディスク３と一致しているので、サスペンション１ａ、１ｂは磁気ディスク３と同じ周期で振動する。
【００１７】
そのため、それぞれの磁気ヘッド２ａ、２ｂと磁気ディスク３との間の距離は変わらないので、サスペンション１ａ、１ｂの跳躍運動は抑制され、それぞれの磁気ヘッド２ａ、２ｂと磁気ディスク３への損傷を低減できる。このような本発明の第２の実施の形態によれば、複数のサスペンション１ａ、１ｂはそれぞれ同じ周期で振動することができ、それぞれのサスペンション１ａ、１ｂの跳躍運動は抑制され、それぞれの磁気ヘッド２ａ、２ｂと磁気ディスク３への損傷を低減できる。
【００１８】
＜第３の実施の形態＞
本発明の第３の実施の形態の磁気ディスク装置を図６に示す。第３の実施の形態では、第１の実施の形態の構成に対して長手状のサスペンション１の略中央部の上面に減衰部材７が追加されている。以上のように構成された磁気ディスク装置について、図６を用いてその動作を説明する。図６において、衝撃が磁気ディスク装置に加わった場合、衝撃によるサスペンション１の振動を減衰部材７で減衰させることができ、また、それと同調したサスペンション１と同じ固有振動数の磁気ディスク３の振動も低減させることができる。このような本発明の第３の実施の形態によれば、衝撃によるサスペンション１の振動とそれと同調した磁気ディスク３の振動を低減させることができる。
【００１９】
＜第４の実施の形態＞
本発明の第４の実施の形態の磁気ディスク装置を図７に示す。第４の実施の形態では、第１の実施の形態の構成において磁気ヘッド２とサスペンション１とマウント部４とコイル部５から構成されるアーム部１０の重心がアーム部１０（マウント部４）の回転軸上にあることを特徴とする構成を有している。
【００２０】
以上のように構成された磁気ディスク装置について、図７を用いてその動作を説明する。図７において、衝撃が磁気ディスク装置に加わった場合、衝撃によるアーム部１０の回転モーメントを低減させることで、サスペンション１に発生する振動の振幅を低減させることができる。このような本発明の第４の実施の形態によれば、衝撃による前記サスペンション１の振動の発生を低減させることができる。
【００２１】
【発明の効果】
以上説明したように請求項１に記載の発明によれば、衝撃によるサスペンションの振動と磁気ディスクの振動の周期が一致するので、サスペンションの振動モードの跳躍運動を抑制して磁気ヘッドと磁気ディスクへの損傷を低減させることができる。
請求項２に記載の発明によれば、衝撃による複数のサスペンションの振動の周期と磁気ディスクの振動の周期が一致するので、複数のサスペンションの振動モードの跳躍運動を抑制して磁気ヘッドと磁気ディスクへの損傷を低減させることができる。
請求項３に記載の発明によれば、衝撃によるサスペンションの振動モードの振動とそれと同調した磁気ディスクの振動を低減させることができる。
請求項４に記載の発明によれば、衝撃によるサスペンションの振動モードの振動の発生を低減させることができる。
【図面の簡単な説明】
【図１】本発明の第１の実施の形態における磁気ディスク装置の斜視図
【図２】図１の磁気ディスク装置の側面図
【図３】図１の磁気ディスク装置の動作説明のための側面図
【図４】本発明の第２の実施の形態における磁気ディスク装置の側面図
【図５】図４の磁気ディスク装置の動作説明のための側面図
【図６】本発明の第３の実施の形態における磁気ディスク装置の側面図
【図７】本発明の第４の実施の形態における磁気ディスク装置の斜視図
【図８】従来例における磁気ディスク装置の側面図
【符号の説明】
１、１ａ、１ｂ　サスペンション
２、２ａ、２ｂ　磁気ヘッド
３　磁気ディスク
４　マウント部
５　コイル部
６　回転軸
７　減衰部材
１０　アーム部
【図１】
2004094989.tif 000006
【図２】
2004094989.tif 000007
【図３】
2004094989.tif 000008
【図４】
2004094989.tif 000009
【図５】
2004094989.tif 000010
【図６】
2004094989.tif 000011
【図７】
2004094989.tif 000012
【図８】
2004094989.tif 000013